(57)【要約】【課題】本考案は贈り物の贈り主に対して受け取ったことを伝える手段として知られている電話や礼状などによる手段以外の選択肢を提供することを目的とするものである。【解決手段】本考案の贈り物同封用の返信葉書付き印刷物１は、区画線２によって区画された一方の領域が返信葉書領域１０となっていて、返信葉書領域１０の裏面には、受取日記入欄１４が印刷されている。したがって、贈り物を受け取った者は、受取日記入欄１４に受取日の数字を手書きで記入して投函することで、贈り主に贈り物が届いたことを簡単に伝えることができる。【選択図】図１
0003201934.tif 000002
【実用新案登録請求の範囲】
【請求項１】
区画線によって区画された一方の領域が返信葉書領域となっている贈り物同封用の返信葉書付き印刷物であって、返信葉書領域の裏面には、受取日記入欄が印刷されていることを特徴とする贈り物同封用の返信葉書付き印刷物。
【請求項２】
前記区画線によって区画された他方の領域には広告情報が印刷されていることを特徴とする請求項１に記載の贈り物同封用の返信葉書付き印刷物。
【請求項３】
前記広告情報は、該印刷物が同封される贈り物と関連する情報であることを特徴とする請求項２に記載の贈り物同封用の返信葉書付き印刷物。
【請求項４】
前記区画線によって区画された他方の領域には観光情報が印刷されていることを特徴とする請求項１に記載の贈り物同封用の返信葉書付き印刷物。
【請求項５】
前記区画線によって区画された他方の領域には装飾情報が印刷されていることを特徴とする請求項１に記載の贈り物同封用の返信葉書付き印刷物。
【考案の詳細な説明】
【技術分野】
【０００１】
本考案は、お中元やお歳暮などの贈り物が届いた場合に受け取ったことを贈り主へ知らせるために使われる印刷物に関し、詳しくは、贈り物に同封して用いる贈り物同封用の返信葉書付き印刷物に関する。
【背景技術】
【０００２】
お世話になった方などへお中元やお歳暮を送る習慣は昔からあり、贈り物が届いた場合には受け取ったこととお礼を伝えることが礼儀である。受け取ったことを伝える手段としては、電話が一般的である。また、この他の手段としては、お礼を書いて送る礼状がある。
【０００３】
電話により受け取ったことを伝える手段は、お互いの声を直接聞きながらお礼とともに近況を聞くことができるなど多くの利点を有している。また、礼状により受け取ったことを伝える手段も、手書きの文字でお礼や近況を書くことで感謝の気持ちが伝わるなど多くの利点を有している。このようなことから贈り物を受け取ったことを伝える手段は、現在でも電話や礼状が一般的に利用されている。
【０００４】
また、贈り物を受け取った側としては電話や礼状でお礼を伝えなければ失礼にあたるという思いも強く、受け取ったことを伝える手段の選択肢として以前は電話や礼状に限られていた感がある。
【０００５】
一方で、お中元やお歳暮を送る習慣が形骸化している面もある現代において、電話や礼状による連絡は、贈る側、贈られる側の双方にとってとくに気持ちの面で負担に感じることもある。
【０００６】
例えば、目上の方に贈り物をした場合、目上の者から目下の者へ直接電話をすることは、双方にとって少々気が引けることもある。また、直接電話することを避け、例えば奥さんへお礼の電話を頼んでしまうことも、とくに年配の男性や忙しい男性であれば現実にあり得ることではあるが、この場合電話された側もあまり面識のない奥さんからの電話に戸惑うこともある。
【０００７】
また、双方でお中元、お歳暮を贈ることが長年の習慣になっている場合、最初に贈り物が届いた（一方の）者が贈り主である他方の者へお礼の電話をすることになるが、しばらくすると立場が逆転し、他方の者が一方の者へお礼の電話をすることになり、双方が同じような話をすることになったりもする。また、多忙な人や、多くの関係者から贈り物がある人は、全ての送り主へ直接電話をすることは現実的には難しい。
【０００８】
また、礼状により受け取ったことを伝える手段は、きれいな字を書くことが苦手な者や、礼状を書く時間のない者にとっては採用し難い選択肢である。したがって、礼状による連絡は昔から行われていることではあるが、利用者は一部の人に限られている。
【０００９】
また、贈り物に対する礼状を容易に作成できるシステムが特許文献１に記載されている。しかしながら、このようなシステムは、実際には誰でも簡単に利用できるようなものではない。
【００１０】
また、電話や礼状以外の選択肢としては、最近であれば電子メールの利用が考えられる。しかしながら、お礼を伝える側にとって受け取ったことを電子メールで伝えることには、まだまだ気が引けるものである。
【先行技術文献】
【特許文献】
【００１１】
【特許文献１】特開２００３−０５０７９１号公報
【考案の概要】
【考案が解決しようとする課題】
【００１２】
そこで、本考案は、上述のような贈り物を受け取ったことを伝える手段として知られている電話や礼状などによる手段以外の選択肢を提供することを目的とするものである。すなわち、本考案は、贈り物同封用の返信葉書付き印刷物を贈り物に同封して一緒に送ることで、贈り物を受け取った側へ、電話や礼状以外の選択肢として、印刷物の返信葉書を利用して伝えるという選択肢を提供することができる。
【課題を解決するための手段】
【００１３】
上記目的を達成するため、本考案の贈り物同封用の返信葉書付き印刷物は、区画線によって区画された一方の領域が返信葉書領域となっている贈り物同封用の返信葉書付き印刷物であって、返信葉書領域の裏面には、受取日記入欄が印刷されていることを特徴とする。
【００１４】
本考案の贈り物同封用の返信葉書付き印刷物を贈り物と一緒に送ることによって、贈り物を受け取った者は、贈り主に対して受け取ったことを伝える手段として、従前からある電話や礼状以外の選択肢として、返信葉書領域を利用して伝えるという選択も可能となる。
【００１５】
また、本考案の贈り物同封用の返信葉書付き印刷物は、前記区画線によって区画された他方の領域には広告情報が印刷されていることを特徴とする。本考案により、贈り物を受け取った者が広告情報を目にすることになるので、広告を掲載する企業にとって高い宣伝広告効果を期待することができる。
【００１６】
また、本考案の贈り物同封用の返信葉書付き印刷物は、前記広告情報が、該印刷物が同封される贈り物と関連する情報であることを特徴とする。本考案により、広告情報と贈り物との関連が高まり、掲載する企業にとってより高い宣伝広告効果を期待することができる。
【００１７】
また、本考案の贈り物同封用の返信葉書付き印刷物は、前記区画線によって区画された他方の領域には観光情報が印刷されていることを特徴とする。本考案により、贈り物を受け取った者が観光情報を目にすることになるので、観光情報を掲載する者、とくに地方公共団体などにとっては地元観光地のアピール効果を期待することができる。
【００１８】
また、本考案の贈り物同封用の返信葉書付き印刷物は、前記区画線によって区画された他方の領域には装飾情報が印刷されていることを特徴とする。
【００１９】
本考案により、贈り物を受け取った者が風景画や風景写真、詞などの装飾情報をみて楽しむことができる。なお、返信葉書領域の裏面にも、装飾情報が印刷されていることで、返信葉書領域が贈り物の贈り主の手元に戻ってきた場合、その葉書を捨ててしまわないで大切に保管しておく動機づけにもなる。
【図面の簡単な説明】
【００２０】
【図１】図１（Ａ）は実施形態１の印刷物の表面平面図あり、図１（Ｂ）は情報領域の裏面平面図であり、図１（Ｃ）は返信葉書領域の裏面平面図である。
【図２】実施形態１に係る広告情報印刷システムの構成を示すブロック図である。
【図３】実施形態１の売り場端末における広告情報印刷のフローチャートである。
【図４】実施形態１の商品出荷場端末における広告情報印刷のフローチャートである。
【図５】実施形態１の売り場端末における表示例を示す図である。
【図６】実施形態２の印刷物の表面平面図である。
【図７】実施形態３の印刷物の表面平面図である。
【考案を実施するための形態】
【００２１】
以下、実施形態及び図面を参照にして本考案を実施するための形態を説明するが、以下に示す実施形態は、本考案をここに記載したものに限定することを意図するものではなく、本考案は実用新案登録請求の範囲に示した技術思想を逸脱することなく種々の変更を行ったものにも均しく適用し得るものである。なお、この明細書における説明のために用いられた各図面においては、各部材を図面上で認識可能な程度の大きさとするため、各部材毎に縮尺を異ならせて表示しており、必ずしも実際の寸法に比例して表示されているものではない。
【００２２】
［実施形態１］
本実施形態の贈り物同封用の返信葉書付き印刷物（以下、たんに印刷物と記す）１の構成を、図１を用いて説明する。図１（Ａ）は印刷物１の表面平面図あり、図１（Ｂ）は印刷物１の情報領域２０の裏面平面図であり、図１（Ｃ）は印刷物１の返信葉書領域１０の裏面平面図である。
【００２３】
印刷物１は、お歳暮やお中元などの贈り物を送る際に、例えば包装用の箱の中に一緒に同封するなど、贈り物に同封されて用いられる。印刷物１を贈り物に同封しておくことにより、贈り物を受け取った者は、印刷物１を視認することができるとともに、贈り主に対して贈り物を受け取ったことを伝える手段として電話、礼状などの選択肢以外に印刷物１の返信葉書領域１０を利用するという選択肢を得ることができる。
【００２４】
この印刷物１は、矩形状の紙でできている。印刷物１には表面を二等分するような破線と「きりとり線」の文字が印刷されている。この破線と「きりとり線」の文字は、返信葉書領域１０と情報領域２０の境界を示す区画線２を構成している。印刷物１は、区画線２に沿って、返信葉書領域１０を切り取ることにより、葉書サイズの返信葉書領域１０を葉書として使用することができる構成になっている。
【００２５】
なお、印刷物１は、区画線２によって区画される返信葉書領域１０と情報領域２０の形状が本実施形態では同じになっているが、例えば、情報領域２０の方が大きくなっているような構成でも構わない。また、印刷物１は、矩形状でなくとも採用することができる。例えば印刷物１は、大きな円形状をしており、この円形内に区画線２によって矩形状に区画された葉書サイズの返信葉書領域１０が設けられている形状でも構わない。
【００２６】
上記のように、返信葉書領域１０は葉書として使用できため、図１（Ａ）に示すように表面の上方には、郵便番号を記入するための郵便番号記入欄１１と、切手を貼る位置を示すための切手貼付け欄１２が、印刷されている。また、返信葉書領域１０の表面の下方には、贈り物を受け取った際に受け取ったことを贈り主に伝えるための葉書として使用してもらうため、返信葉書領域１０の使用目的１３を記した「ご返信用ハガキとしてお使いください。」という文字が印刷されている。
【００２７】
また、返信葉書領域１０の表面には、これ以外のことはとくに印刷されていないため、空白の領域に、贈り物を送ってくださった贈り主の住所、氏名を直接記入することになる。そして、贈り主の住所、氏名が記載されることにより、返信葉書領域１０を投函するだけで贈り主の手元へ返信葉書領域１０が届くため、贈り主は贈り物が無事に届いたことを知ることができる。なお、贈り主の住所、氏名が表面に印刷されていても構わない。住所、氏名が印刷されていれば、贈り物を受け取った者による誤記入を防ぐことができる。
【００２８】
一方、返信葉書領域１０の裏面には贈り物を受け取った日付を記入する受取日記入欄１４が印刷されている。受取日記入欄１４は、図１（Ｃ）に示すように本実施形態においては、「  年  月  日に届きました。」という文字が縦書きに印刷されたものである。したがって、贈り物を受け取った者は、空白の場所に手書きで数字を記入することになる。そして、返信葉書領域１０が贈り主に届くことによって、贈り主は贈り物がいつ届いたのかを知ることができる。なお、図１（Ｃ）に示した受取日記入欄の印刷文字は、あくまでも例示であり受取日が記入できる欄であれば他の文字からなるものでも構わない。例えば、単に「  月  日に受け取りました。」という文字が横書きで印刷されていても構わない。
【００２９】
また、返信葉書領域１０の裏面には返信葉書を利用する者（贈り物を受け取った者）の住所、氏名を記入する住所、氏名記入欄１５が印刷されている。
【００３０】
また、返信葉書領域１０の裏面の下方には、装飾情報１６が印刷されている。この装飾情報１６は、風景画や風景写真、あるいは手書き風の文字で書かれた詞など、返信葉書領域１０の裏面を装飾する情報が印刷されている。このような装飾情報１６が印刷されていることで、返信葉書領域１０が手元に届いた際に、贈り物が無事に届いたことを知ることができるだけでなく、この葉書を簡単に捨ててしまわないで大切に保管しておくことにもつながる。とくに後述するように、この印刷物１は、贈り物をする贈り主が好みのデザインを選択することができるため、最終的に自分の元に返信葉書領域１０が戻ってきた場合に、装飾情報１６が自分の好みのものであれば、受け取った返信葉書領域１０を大切に保管しておくこともできる。
【００３１】
また、返信葉書領域１０の裏面には、これ以外のことはとくに印刷されていないため、空白の領域に、贈り物を受け取った者は「ありがとうございました」などの感謝の気持ちを表す文字を手書きで記入することができる。なお、このような感謝の気持ちを表す文字は、返信葉書領域１０の裏面に最初から印刷されていても構わない。
【００３２】
情報領域２０は、印刷物１の返信葉書領域１０を使用した後でも贈り物を受け取った者の手元に残ることになる。したがって、情報領域２０には、贈り物を受け取った者に役立つ情報や興味を持ってもらえる情報が印刷されている。具体的には、情報領域２０の表面には、広告情報２１が印刷されている。
【００３３】
この広告情報２１は、贈り物の品物と関連する企業広告である。具体的には、贈り物の中身が○○株式会社の○○ハムというような場合、図１（Ａ）に示すように広告情報２１は、この会社のハム又は他の商品の案内情報である。また、広告情報２１は、掲載されている商品の注文方法に関する情報でもある。
【００３４】
情報領域２０に、このような広告情報２１が印刷されていることにより、贈り物を受け取った者は、贈り物の品物が気に入った場合、同様の商品或はこの会社の他の商品を知ることができ、自身のため或は他の人への贈り物としてこの会社の商品を選ぶことができる。したがって、この情報領域２０に広告情報２１を印刷しておくことで、企業としては効率よく商品の宣伝することができる。
【００３５】
また、情報領域２０の裏面には、図１（Ｂ）に示すように、装飾情報２２が印刷されている。この装飾情報２２は、返信葉書領域１０の裏面に印刷されている装飾情報１６と同様の情報である。つまり、この装飾情報２２は、風景画や風景写真、あるいは手書き風の文字で書かれた詞など、情報領域２０の裏面を装飾する情報である。そして、このような装飾情報２２が印刷されていることにより、贈り物を受け取った者は、情報領域２０を写真立てなどに入れて装飾情報２２をインテリアなどとして楽しむことができる。
【００３６】
なお、本実施形態において印刷物１は、情報領域２０の表面に広告情報２１が印刷され、情報領域２０の裏面に装飾情報２２が印刷されているが、表面に装飾情報２２、裏面に広告情報２１が印刷されている構成でも構わない。
【００３７】
ここで上述のように、この情報領域２０に印刷されている広告情報２１は、印刷物１が同封される贈り物の品物と関連する情報であることにより高い宣伝効果を得ることができる。したがって、広告情報２１を印刷する企業にとっては、贈り物の品物と広告情報２１との関連が極めて重要である。
【００３８】
一方、百貨店などで実際にお中元やお歳暮を購入する場面で、印刷物１が販売されている場合を想定してみると、まず印刷物１を先に購入するよりも、お中元やお歳暮の品物を先に購入する人の方が多いものと思われる。
【００３９】
このような場合、印刷物１に最初から広告情報２１が印刷されていると、選んだ品物と関連する広告情報２１が印刷されている印刷物１を選ぶことになるので、購入者にとっては、好みの装飾情報２２が印刷されている印刷物１を購入できないことが考えられる。また、非常に気に入った装飾情報２２が印刷された印刷物１があった場合にその印刷物１に印刷されている広告情報２１によって、購入する品物が制限されてしまうことは購入者にとって好ましいことではない。
【００４０】
そこで、贈り物の品物と関連する広告情報２１を印刷物１に効率よく印刷できる広告情報システム１００について図を用いて説明する。図２は、本実施形態に係る広告情報印刷システムの構成を示すブロック図である。図３は、売り場端末における広告情報印刷のフローチャートである。図４は、商品出荷場端末における広告情報印刷のフローチャートである。
【００４１】
広告情報システム１００は、お中元やお歳暮などの商品が展示されている売り場に設置してある売り場端末１１０と、贈り主が選んだ商品が実際に出荷される場所に設置してある商品出荷場端末１２０と、インターネット１３０などの通信網で構成されている。
【００４２】
まず、売り場端末１１０について説明する。売り場端末１１０は、具体的にはインターネット１３０に接続されたＰＣ（パーソナルコンピュータ）で構成されており、ディスプレイからなる表示部、キーボードなどからなる入力部、所定のプログラムを実行する制御部、種々のデータが記憶されている記憶部、インターネット１３０と接続する通信部などで構成されている。
【００４３】
また、この売り場端末１１０は、ベース印刷物選択部１１１、贈り物選択部１１２、情報送信部１１３を備えている。
【００４４】
ベース印刷物選択部１１１は、情報領域２０の表面に広告情報２１が印刷されていない状態のベース印刷物が複数用意されており、その中から好みのベース印刷物を特定する機能を実現するものである。なお、ベース印刷物は、情報領域２０の表面に広告情報２１が印刷されていないだけで、返信葉書領域１０の表裏には既に各種の印刷が施され、情報領域２０の裏面には装飾情報２２が印刷されている。したがって、装飾情報２２が異なる複数のベース印刷物を用意しておくことで、贈り主は好みのデザインを選ぶことができる。
【００４５】
具体的には、ベース印刷物選択部１１１は、表示部、入力部、制御部などによって実現されており、図５（Ａ）に示す表示例のように、用意されているベース印刷物のパターンを表示部に表示し、入力部によって気に入ったパターンのベース印刷物が選択されることで、ベース印刷物を特定する。なお、ベース印刷物の選択は、例えば、デザインの異なるベース印刷物を表示部に表示して選択する方法や、店内に展示してあるサンプルのベース印刷物の中から好みのデザインを贈り主が選び、その選んだデザインと対応するパターンを図５（Ａ）の表示例のように表示して選ぶ方法など、様々な方法を採用して構わない。
【００４６】
贈り物選択部１１２は、売り場に展示されている複数の贈り物の中から贈り主が選んだ贈り物を特定する機能を実現するものである。具体的には、贈り物選択部１１２は、表示部、入力部、制御部などによって実現されており、図５（Ｂ）に示す表示例のように、展示されている複数の贈り物を表示部に表示し、入力部によって贈り主が選んだ贈り物が選択されることで、贈り物を特定する。
【００４７】
情報送信部１１３は、ベース印刷物選択部１１１で特定されたベース印刷物の情報と、贈り物選択部１１２で特定された贈り物の情報とを、商品出荷場端末１２０へ送信する機能を実現するものである。具体的には、情報送信部１１３は、通信部、制御部などによって実現されている。
【００４８】
このように構成されている売り場端末１１０の具体的な処理を図３に基づいて説明する。まず、所定のプログラムが開始されることにより、売り場端末１１０の各種処理が開始される。
【００４９】
最初に売り場端末１１０は、表示部にお客様情報登録画面を表示する（ステップ２１１）。お客様情報とは、お客様の氏名や住所だけでなく、贈り物の送り先の住所や氏名などに関する情報である。情報の入力は、表示部の表示内容にしたがって、入力部を介して行われる。
【００５０】
次に、売り場端末１１０は、準備されているベース印刷物の候補を表示部に表示する（ステップ２１２）。次に、売り場端末１１０は、ベース印刷物が選択されたか否かの判定を行う（ステップ２１３）。具体的には、売り場端末１１０は、図５（Ａ）に示すように、ベース印刷物候補の横に設けられたチェックボックスに入力部を介してチェックが入っているか否かで判定する。売り場端末１１０は、チャックが入るまでこの処理を繰り返し、チェックが入ると（ステップ２１３においてＹＥＳ）、次の処理へと進む。
【００５１】
次に、売り場端末１１０は、売り場に展示されている贈り物の候補を表示部に表示する（ステップ２１４）。次に、売り場端末１１０は、表示された贈り物の中から贈り物が選択されたか否かの判定を行う（ステップ２１５）。具体的には、売り場端末１１０は、図５（Ｂ）に示すように、品物の横に設けられたチェックボックスに入力部を介してチャックが入っているか否かで判定する。売り場端末１１０は、チェックが入るまでこの処理を繰り返し、チェックが入ると（ステップ２１５においてＹＥＳ）、次の処理へと進む。
【００５２】
次に、売り場端末１１０は、ステップ２１３で決定したベース印刷物の情報と、ステップ２１５で決定した贈り物の情報とを、通信部を介して送信（ステップ２１６）することでこのプログラムの処理を終了させる。
【００５３】
次に、商品出荷場端末１２０について説明する。商品出荷場端末１２０は、具体的にはインターネット１３０に接続されたＰＣやこのＰＣに接続された印刷機で構成されており、ディスプレイからなる表示部、キーボードなどからなる入力部、所定のプログラムを実行する制御部、種々のデータが記憶されている記憶部、インターネット１３０と接続する通信部、印刷機からなる印刷部などで構成されている。
【００５４】
また、この商品出荷場端末１２０は、情報受信部１２１、広告情報抽出部１２２、広告印刷部１２３を備えている。
【００５５】
情報受信部１２１は、売り場端末１１０の情報送信部１１３によって送信されてきた情報を受信する機能を実現するものである。具体的には、情報受信部１２１は、通信部、制御部などによって実現されている。
【００５６】
広告情報抽出部１２２は、情報受信部１２１で受信された贈り物の情報に基づき、特定された贈り物と関連する広告情報を特定する機能を実現するものである。
【００５７】
具体的には、広告情報抽出部１２２は、制御部、記憶部などによって実現されており、あらかじめ贈り物とこの贈り物と関連する広告情報とを対応させて記憶部に記憶しておき、受信された贈り物情報から、その贈り物に対応する広告情報を記憶部から抽出することで、広告情報を抽出する。
【００５８】
広告印刷部１２３は、広告情報抽出部１２２で抽出された広告情報を、情報受信部１２１で受信されたベース印刷物の情報に基づきベース印刷物に印刷する機能を実現するものである。
【００５９】
具体的には、広告印刷部１２３は、制御部、記憶部、印刷部などによって実現されており、広告情報を基にベース印刷物に広告情報の印刷を行う。なお、広告情報の印刷において、あらかじめ返信葉書領域１０の表裏に既に各種の印刷が施され、また情報領域２０の裏面に装飾情報２２が印刷されている用紙を用いて広告情報のみを印刷する構成でも、ベース印刷物の情報に基づき広告情報だけでなく他の全ての印刷を行って印刷物１を完成させる構成でも構わない。
【００６０】
このような構成の商品出荷場端末１２０の具体的な処理を説明する。まず、所定のプログラムが開始されることにより、商品出荷場端末１２０の各種処理が開始される。最初に商品出荷場端末１２０は、売り場端末１１０から送信されたベース印刷物の情報と贈り物の情報とを、受信部を介して受信する（ステップ２２１）。次に、商品出荷場端末１２０は、受信した贈り物情報を基に対応する広告情報の抽出を行う（ステップ２２２）。
【００６１】
次に、商品出荷場端末１２０は、受信したベース印刷物の情報と抽出された広告情報に基づき広告情報の印刷を行う（ステップ２２３）。この処理により、図１に示す印刷物１が完成し、商品出荷場端末１２０はこのプログラムの処理を終了させる。
【００６２】
このような広告情報印刷システム１００を用いることで、贈り主は、贈り物の品物を意識することなく好みの印刷物１を選ぶことができる。また、広告情報２１が印刷される企業にとっても、贈り物の品物と広告情報２１とが関連しているので、高い宣伝効果を期待できることになり、企業にとっても印刷物１への広告掲載を前向きに検討することができる。
【００６３】
なお、本実施形態の広告情報印刷システム１００は、売り場端末１１０と商品出荷場端末１２０とは、それぞれの別の構成となっているが他の構成であっても構わない。例えば、広告情報印刷システムが一つの端末で構成されていても構わない。具体的には、広告情報システムは、情報領域２０に広告情報２１が印刷されていない複数のベース印刷物の中からベース印刷物を特定するベース印刷物選択部１１１と、複数の贈り物の中から贈り物を特定する贈り物選択部１１２と、贈り物選択部１１２で特定された贈り物に対応する広告情報を抽出する広告情報抽出部１２２と、広告情報抽出部１２２で抽出された広告情報をベース印刷物選択部１１１で特定されたベース印刷物に印刷する広告印刷部１２３と、を備える構成となっている。また、広告情報印刷システムは、二台以上の端末で構成されていても構わない。
【００６４】
［実施形態２］
本実施形態の贈り物同封用の返信葉書付き印刷物（以下、たんに印刷物と記す）１Ａの構成を、図６を用いて説明する。図６は印刷物１Ａの表面平面図である。なお、実施形態１と同様の構成については、同様の符号を用いて示すとともに説明を省略する。
【００６５】
印刷物１Ａは、情報領域２０Ａの表面に、印刷物１のような広告情報２１ではなく、観光情報２３が印刷されている。この観光情報２３は、贈り主が生活している都道府県や市町村の観光地に関する写真や説明文からなる情報である。このような観光情報２１が印刷されていることにより、贈り物を受け取った者は、贈り主が生活する土地の観光地を知ることができ、更には興味を抱くことにもつながってくる。
【００６６】
情報領域２０Ａに観光情報２３を印刷した印刷物１Ａは、とくに遠方の人に贈り物をする際に同封しておくと効果的である。また、このような印刷物１Ａが同封された贈り物を受け取った者は、観光情報２３をみることにより、実際にこの観光地へ行く動機づけになる効果も期待できる。このため、地方公共団体にとっても印刷物１Ａへの観光情報２３の掲載を前向きに検討することができる。
【００６７】
また、印刷物１Ａは、印刷物１と異なり贈り物の品物との関連性を配慮する必要もない。したがって、例えば郵便局や公共施設など様々な場所で印刷物１Ａを販売しておき、贈り主が購入した印刷物１と、別の場所で購入した贈り物とを同封して送ることもできる。
【００６８】
なお、観光情報２３は、印刷物１Ａの情報領域２０Ａの裏面に印刷されていても構わない。また、観光情報２３は、情報領域２０Ａの表面と裏面の両面に印刷されていても構わない。
【００６９】
［実施形態３］
本実施形態の贈り物同封用の返信葉書付き印刷物（以下、たんに印刷物と記す）１Ｂの構成を、図７を用いて説明する。図７は印刷物１Ｂの表面平面図である。なお、実施形態１と同様の構成については、同様の符号を用いて示すとともに説明を省略する。
【００７０】
印刷物１Ｂは、情報領域２０Ｂの表面に、印刷物１のような広告情報２１ではなく、装飾情報２２が印刷されている。したがって、印刷物１Ｂの情報領域２０Ｂには、表裏両面に装飾情報２２が印刷されている。
【００７１】
情報領域２０Ｂの両面に装飾情報２２を印刷した印刷物１Ｂは、とくに印刷物１Ｂが同封された贈り物を受け取った者にとって、贈り物だけでなく印刷物１Ｂそのものも楽しむことができる。
【００７２】
そして、印刷物１Ｂは、印刷物１と異なり贈り物の具体的な品物との関連性を配慮する必要もない。したがって、例えば郵便局や公共施設だけでなく、書店やコンビニエンスストアなどより様々な場所でも、違和感なく販売することができる。なお、印刷物１Ｂは、情報領域２０Ｂの表面と裏面とで異なる装飾情報２２を印刷しておくことで、両面の装飾情報２２をそれぞれ楽しむことできる。
【符号の説明】
【００７３】
１、１Ａ、１Ｂ：贈り物同封用の返信葉書付き印刷物
２：区画線
１０：返信葉書領域
１４：受取日記入欄
１６：装飾情報
２０：情報領域
２１：広告情報
２２：装飾情報
２３：観光情報
【図１】
0003201934.tif 000003
【図２】
0003201934.tif 000004
【図３】
0003201934.tif 000005
【図４】
0003201934.tif 000006
【図５】
0003201934.tif 000007
【図６】
0003201934.tif 000008
【図７】
0003201934.tif 000009